(57)【要約】【課題】側方の構造壁との間に隙間部を設け、この隙間部を壁貫通型給湯器の設置スペースとして使用し、キッチンにおける給湯器の設置に必要なスペース小さくし、フィラーの前面扉などを開くことで、壁貫通型給湯器の保守、点検などの作業を可能とする。【解決手段】キッチン１において、キャビネット２の側方に非収納スペースである隙間部１３を設け、隙間部１３は前面がフィラー２２および巾木２３によって塞がれるように構成し、隙間部２３に壁貫通型給湯器１７の給湯部１９を配置し、フィラー２２は開閉可能な前面扉２７を備え、前面扉２７を開くことにより壁貫通型給湯器１７の給湯器点検口２４を開き、巾木２３は、フィラー２２の下部３１に前面扉２７よりも後方に位置して着脱可能であり、取り外すことできる。【選択図】図２
2017196057.tif 000002
【特許請求の範囲】
【請求項１】
キャビネットの側方に非収納スペースである隙間部を有し、隙間部は前面がフィラーによって塞がれるように構成されているキッチンにおいて、隙間部に壁貫通型給湯器を備え、フィラーは開閉可能な前面扉を備えることを特徴とするキッチン。
【請求項２】
請求項１に記載のキッチンにおいて、給湯器点検口が設けられており、前面扉が給湯器点検口の蓋とされていることを特徴とするキッチン。
【請求項３】
請求項１または２に記載のキッチンにおいて、フィラーの下部であって前面扉よりも後方に位置する巾木を備えていることを特徴とするキッチン。
【請求項４】
請求項３に記載のキッチンにおいて、巾木が開閉可能に構成されていることを特徴とするキッチン。
【請求項５】
請求項３または４に記載のキッチンにおいて、巾木が通気口を備えることを特徴とするキッチン。
【請求項６】
請求項３または４に記載のキッチンにおいて、前面扉と巾木の間に水平部材を設け、水平部材に通気口を備えることを特徴とするキッチン。
【発明の詳細な説明】
【技術分野】
【０００１】
従来、キッチンにおける給湯設備として、キッチン内に給湯器を設置することは、知られている。そのために、キッチン内に給湯器設置スペースと給湯器のメインテナンスに必要なアクセススペースが必要である。
【０００２】
また、キッチンにおけるキャビネットの側方に非収納スペースである隙間部を有することがあり、従来、この隙間部を、その前面をフィラーによって塞がれている構成とすることが知られている（特許文献１、２参照）。
【０００３】
さらに、キッチンにおけるキャビネットの前面扉の下方等に生じる隙間を塞ぐために巾木が取り付けることは通常行われているが、このような巾木を取り外し可能とした構成が、知られている（特許文献１、２参照）。
【０００４】
また、従来、浴室の壁等の外壁を貫通した筒内に給湯器が差し込まれ、外部に排気筒等を露出させ、建物内部の給湯器の飛び出し部分を最小限に抑えた壁貫通型給湯器が知られている（特許文献３参照）。
【先行技術文献】
【特許文献】
【０００５】
【特許文献１】実開平４−２７８５１号公報
【特許文献２】特開平７−２７５０５７公報
【特許文献３】特許第３９５９６６４号公報
【発明の概要】
【発明が解決しようとする課題】
【０００６】
上記のとおり、キッチン内に給湯器を設置すると、給湯器設置スペースを要し、そのために、キッチンで重要なスペースをとられてしまい、また見た目も必ずしも良いとは言えない。
【０００７】
さらに、給湯器の設置、取り替え、保守、点検などのためのスペースが必要であり、給湯器のために、キッチンが狭くなってしまう。
【０００８】
キッチンにおけるキャビネットの側方に非収納スペースである隙間部を設けておく構成は、キッチンの空間について、デッドスペースを少なくして有効活用する点と逆行する。
【０００９】
本発明は、上記従来の問題を解決することを目的とするものであり、給湯器を設置しても、給湯器設置スペースによって、キッチンが狭くなったり、見栄えが悪くなるということがなく、点検などの際のアクセスも容易であり、しかも非収納スペースであるキャビネットの側方の隙間部は、従来、デッドスペースであったが、そのような隙間部の有効活用を図ることを課題とする。
【課題を解決するための手段】
【００１０】
本発明は、上記課題を解決するために、キャビネットの側方に非収納スペースである隙間部を有し、隙間部は前面がフィラーによって塞がれるように構成されているキッチンにおいて、隙間部に壁貫通型給湯器を備え、フィラーは開閉可能な前面扉を備えることを特徴とするキッチンを提供する。
【００１１】
給湯器点検口が設けられており、前面扉が給湯器点検口の蓋とされていることが好ましい。
【００１２】
フィラーの下部であって前面扉よりも後方に位置する巾木を備えていることが好ましい。巾木が開閉可能に構成されていることが好ましい。
【００１３】
さらに、巾木が通気口を備えることが好ましい。また、前面扉と巾木の間に水平部材を設け、水平部材に通気口を備えることが好ましい。
【発明の効果】
【００１４】
本発明に係るキッチンによれば、側方の構造壁との間に隙間部を設け、この隙間部を壁貫通型給湯器の一部の設置スペースとして使用したので、キッチンにおける給湯器に必要な設置スペース小さくでき、フィラーの前面扉などを開くことで、壁貫通型給湯器の点検などに際しても容易にアクセスできる。
【図面の簡単な説明】
【００１５】
【図１】本発明に係るキッチンの実施例の全体構成を示す斜視図である。
【図２】本発明に係るキッチンの実施例を説明する図であり、（ａ）は水平断面図であり、（ｂ）は（ａ）のＢ−Ｂ断面図である。
【図３】上記実施例を説明する図であり、（ａ）は、図２（ａ）のＡ−Ａから見たキッチンの正面図であり、（ｂ）は図２（ｂ）の要部を説明する図である。
【図４】上記実施例のキッチンの要部を説明する図であり、（ａ）は蝶番付き側板から巾木を外した状態を示す斜視図であり、（ｂ）は蝶番付き側板および戸当たり側板に巾木を着脱可能に取り付けた状態を示す斜視図である。
【図５】（ａ）は上記実施例のキッチンの巾木の変形例を示す側面図であり、（ｂ）は上記実施例のキッチンの巾木の変形例を示す正面図であり、（ｃ）は上記実施例のキッチンの前面扉と巾木の変形例を示す斜め後方から見た斜視図である。
【発明を実施するための形態】
【００１６】
本発明に係るキッチンを実施するための形態を実施例に基づき図面を参照して、以下説明する。
【実施例】
【００１７】
本発明に係るキッチンの実施例を図１〜図５において説明する。図１は、実施例のキッチン１の全体構成を示す。キッチン１は、天板４の下に、引き出し、片開き扉等を備えたキャビネット２を備えている。換言すると、キャビネット２の上面開口は天板４で塞がれている。
【００１８】
また、キッチン１は、その側方の構造壁３の近くに設置されており、キャビネット２と構造壁３の間には非収納スペースが設けられている。本明細書では、キャビネット２を正面視して、手前側を前方とし、奥側を後方とし、左右を左右方向として説明する。
【００１９】
キャビネット２は、周知のキャビネットと同様に、左右の側壁６、底壁７、背壁９、前面扉１２および巾木１１を備えている（図２（ａ）、図３（ａ）参照）。背壁９は後方の構造壁３に固定されている。
【００２０】
前面扉１２は、通常のキャビネットの前面扉と同様の構成であり、キャビネット２の前面開口を開閉する横幅を有する。
【００２１】
キャビネット２の側壁６と側方の構造壁３との間に、図２（ａ）に示すように前記非収納スペースである隙間部１３を有し、この隙間部１３は、本実施例では給湯器設置スペースとして使用される。隙間部１３に面するように、左側方の構造壁３には開口１４が形成されており、この開口１４を貫通するように、壁貫通型給湯器１７が設置されている。
【００２２】
壁貫通型給湯器１７は、その燃焼器、熱交換器を有する本体部及び排気トップ１８は、屋外側に向けられて設置され、図示はしないが、給水管の接続部、給湯管の接続部及びドレイン排水部などを有する部分（以下、「給湯部」という）１９は、隙間部１３内に設置されている。
【００２３】
隙間部１３の前面は、図２（ａ）、（ｂ）、図３（ａ）、（ｂ）に示すように、フィラー２２によって塞がれ、さらにフィラー２２の下であってキャビネット２の前面扉１２よりも後方に位置して巾木２３が着脱可能に設けられている。隙間部１３の前面からフィラー２２及び巾木２３の両方、或いはそれらのいずれかを外せば、隙間部１３の前面開口は、給湯器点検口２４として使用可能である。
【００２４】
このようなフィラー２２及び巾木２３の具体的な構成は、次のとおりである。フィラー２２は、開閉可能な前面扉２７を備えている。側方の構造壁３の内面に、図２（ａ）、（ｂ）、図３（ｂ）、図４（ａ）、（ｂ）に示すような蝶番付き側板２８が固定されている。
【００２５】
蝶番付き側板２８は、その下部３１は後方に切り欠かれて、上部３２より巾が小さく形成されている（図２（ｂ）参照）。上部３２には蝶番３３が取り付けられており、蝶番３３に、前面扉２７が開閉可能に取り付けられている。前面扉２７は、閉じると後記する戸当たり側板３７（図２（ａ）、図４（ｂ）参照）に当接する。
【００２６】
蝶番付き側板２８の下部３１の前面には、図２（ｂ）、図３（ｂ）、図４（ａ）に示すように、マグネット３６が埋設されている。キャビネット２の側壁６の下部の外面には、蝶番付き側板２８に対向して、図２（ａ）、図４（ｂ）に示すような戸当たり側板３７が固定されている。
【００２７】
戸当たり側板３７の形状は、図２（ｂ）、図３（ｂ）、図５（ａ）、（ｂ）に示す蝶番付き側板２８とほぼ同じであり、蝶番付き側板２８と同様に、その下部前面には、マグネットが埋設されている（図４（ｂ）参照）。巾木２３の左右方向の一端側及び他端側の後面には、それぞれ鉄プレート３８が取り付けられている（図２（ｂ）、図３（ａ）、（ｂ）参照）。
【００２８】
このような構成によって、巾木２３は、その両端側の鉄プレート３８を、それぞれ蝶番付き側板２８のマグネット３６と戸当たり側板３７のマグネット３６に吸着させて、図３（ａ）、（ｂ）、図４（ｂ）に示すように、隙間部１３の前面に着脱可能に取り付けることが可能となる。
【００２９】
なお、フィラー２２の前面扉２７や巾木２３は、上記のような蝶番やマグネットではなく、ローラキャッチャによって、着脱可能な構成としてもよい。また、隙間部１３に面するキャビネット２の少なくとも左側壁６に開口を形成して、給湯器点検口としてもよいが、本実施例１では、前面扉２７を開き、必要に応じて巾木２３を外せば、給湯器点検口２４が開くので、キャビネット２の側壁６に給湯器点検口を強いて設ける必要はない。
【００３０】
以上の構成から成る本発明に係るキッチン１によれば、壁貫通型給湯器１７の設置、取り替え、保守、点検などの際には、フィラー２２の前面扉２７を開き、必要に応じて巾木２３をはずすことで、簡単に給湯器点検口２４（隙間部１３の前面開口）を開くことが可能となり作業ができる。
【００３１】
また、本発明のキッチン１は、キャビネット２の側方において、側方の構造壁３との間に隙間部１３を設け、この隙間部１３を給湯器設置スペースとして使用し、給湯器設置スペースに薄く形成された給湯部１９が配置されている構成であるので、キッチン１における給湯器によって占められるスペースが小さくなる。
【００３２】
また、常時は、隙間部１３の内部は、フィラー２２の前面扉２７及び巾木２３によって利用者には見えないので、キッチン１内に給湯器が見えるように配置された従来のキッチンに比べて、すっきりし、見た目が悪いということもなくなる。
【００３３】
（変形例）
上記実施例のキッチン１の巾木の変形例を図５（ａ）、（ｂ）において説明する。この変形例の巾木４０は、その左右方向の両端部の後面に、鉄プレート３８が設けられている。
【００３４】
巾木４０は、その両端部の後面に設けられた鉄プレート３８を、それぞれ、上記実施例の巾木２３と同様に、蝶番付き側板２８のマグネット３６と戸当たり側板３７のマグネット３６に吸着させて、隙間部１３の前面に着脱可能に取り付けることが可能である。
【００３５】
変形例の巾木４０は、図５（ｂ）に示すように、通気口４１を備えることを特徴とする。そして、通気口４１にメッュから成るフィルタ４２が取り付けられている。このように巾木２３に通気口４１設けたので、隙間部１３とキッチン１内におけるキャビネット２の外側との空気の流通を良くして、隙間部１３内で、給湯部１９の周辺に滞留する暖気や湿気を排出し、それらが、隙間部１３内にこもることを防止する。
【００３６】
次に、上記実施例のキッチン１におけるフィラーと巾木の変形例について、図５（ｃ）において説明する。この変形例は、フィラー２２の前面扉２７の下端部と巾木２３の上端部の間に水平部材４６が設けられている。水平部材４６には、通気口４７が形成されており、この通気口４７にメッシュから成るフィルタ４８が取り付けられている。
【００３７】
フィラーと巾木をこのような構成をすることにより、隙間部１３とキッチン１内におけるキャビネット２の外側との空気の流通を良くして、隙間部１３内で、給湯部１９の周辺に滞留する暖気や湿気を、通気口４７のフィルタ４８を通して排出し、隙間部１３内にこもることを防止する。また、水平部材４６に通気口４７を設けたので、通気口４７が前面から見えず、見栄えがよい。
【００３８】
以上、本発明に係るキッチンを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３９】
本発明に係るキッチンは上記のような構成であるが、キッチン以外にも、給湯器を使用する洗面所などにも適用可能である。
【符号の説明】
【００４０】
１  キッチン                           
２  キャビネット                       
３  構造壁                             
６  左右の側壁                           
７  底壁                               
９  背壁                               
１０  前面扉 
１１  キャビネットの巾木        
１３  隙間部                           
１４  構造壁の開口                     
１７  壁貫通型給湯器                   
１８  本体部及び排気トップ             
１９  給湯部                           
２２  フィラー                         
２３  巾木                             
２４  給湯器点検口                           
２７  前面扉                           
２８  蝶番付き側板                     
３１  蝶番付き側板下部                 
３２  蝶番付き側板上部                 
３３  蝶番                             
３６  マグネット                       
３７  戸当たり側板                     
３８  鉄プレート                       
４０  巾木                             
４１  通気口                           
４２  フィルタ                         
４６  水平部材
４７  通気口
４８  フィルタ
【図１】
2017196057.tif 000003
【図２】
2017196057.tif 000004
【図３】
2017196057.tif 000005
【図４】
2017196057.tif 000006
【図５】
2017196057.tif 000007